(57)【要約】【課題】大型化することなく、放熱効率の高い光ピックアップ装置および光学式情報記録再生装置を提供する。【解決手段】レーザ光を出射するレーザ素子を内蔵している光学パッケージ１３と、光学パッケージ１３を内包し、レーザ光１１の光軸を調整する光軸調整台１９と、光軸調整台１９を支持している光学基台１５と、光学パッケージ１３、光軸調整台１９および光学基台１５を覆うように設置されている蓋部１７とを備え、蓋部１７は、光学基台１５側に突出している熱伝導性を有する突起部２２を有し、光学パッケージ１３、光軸調整台１９および光学基台１５の少なくともいずれかには、突起部２２が挿入されている孔２３が形成されている。【選択図】  図３
2006202405.tif 000002
【特許請求の範囲】
【請求項１】
光学式情報記録媒体にレーザ光を照射する光ピックアップ装置であって、
レーザ光を出射するレーザ素子を内蔵している光学パッケージと、
前記光学パッケージを内包し、前記レーザ光の光軸を調整する光軸調整台と、
前記光軸調整台を支持している光学基台と、
前記光学基台において前記光学式情報記録媒体が設置される側に、前記光学パッケージ、前記光軸調整台および前記光学基台を覆うように設置されている蓋部とを備え、
前記蓋部は、前記光学基台側に突出している熱伝導性を有する突起部を有し、
前記光学パッケージ、前記光軸調整台および前記光学基台の少なくともいずれかには、前記突起部が挿入されている孔が形成されていることを特徴とする光ピックアップ装置。
【請求項２】
前記光学パッケージには、前記突起部が挿入される前記孔が形成されていて、前記突起部は、前記レーザ素子に接触するかあるいは前記レーザ素子の近傍に位置する請求項１に記載の光ピックアップ装置。
【請求項３】
前記光軸調整台または前記光学パッケージと、前記光学基台とを接続する放熱板をさらに備えていて、
前記光学基台における、前記放熱板と前記光学基台との接続個所近傍に、前記孔が形成されていて、
前記孔に前記突起部が挿入されている請求項１に記載の光ピックアップ装置。
【請求項４】
前記突起部は、前記蓋部において前記光学式情報記録媒体が設置される側の面に設置され、前記光学基台側に突出している請求項１ないし請求項３のいずれかに記載の光ピックアップ装置。
【請求項５】
前記突起部は前記蓋部を貫通して、前記光学式情報記録媒体が設置される側にも突出している請求項４に記載の光ピックアップ装置。
【請求項６】
前記突起部が挿入されている前記孔には、放熱グリスが充填されている請求項１ないし請求項５のいずれかに記載の光ピックアップ装置。
【請求項７】
光学式情報記録媒体にレーザ光を照射する光ピックアップ装置であって、
レーザ光を出射するレーザ素子を内蔵している光学パッケージと、
前記光学パッケージの光軸を調整する光軸調整台と、
前記光軸調整台を支持している光学基台と、
前記光学基台において前記光学式情報記録媒体が設置される側に、前記光学パッケージ、前記光軸調整台および前記光学基台を覆うように設置されている蓋部とを備え、
前記光学パッケージおよび前記光軸調整台の少なくともどちらかには、前記蓋部側に突出する熱伝導性を有する突起部が設置されていて、
前記突起部は、前記蓋部の近傍に位置しあるいは前記蓋部に接触していることを特徴とする光ピックアップ装置。
【請求項８】
前記蓋部と前記突起部とが接触していず、前記蓋部と前記突起部の先端との間に放熱グリスが塗布されている請求項７に記載の光ピックアップ装置。
【請求項９】
光学式情報記録媒体にレーザ光を照射する光ピックアップ装置であって、
レーザ光を出射するレーザ素子を内蔵している光学パッケージと、
前記光学パッケージの光軸を調整する光軸調整台と、
前記光軸調整台を支持している光学基台と、
前記光学基台において前記光学式情報記録媒体が設置される側に、前記光学パッケージ、前記光軸調整台および前記光学基台を覆うように設置されている蓋部とを備え、
前記光学パッケージおよび前記光軸調整台の少なくともどちらかには、前記蓋部側に突出する熱伝導性を有する突起部が設置されていて、
前記突起部は、前記蓋部を貫通して光学式情報記録媒体側に突出していることを特徴とする光ピックアップ装置。
【請求項１０】
前記蓋部には、前記突起部が貫通する孔が形成されていて、前記孔には放熱グリスが充填されている請求項９に記載の光ピックアップ装置。
【請求項１１】
前記蓋部はアルミニウムにより構成されている請求項１ないし請求項１０のいずれかに記載の光ピックアップ装置。
【請求項１２】
請求項１ないし請求項１１のいずれかに記載の光ピックアップ装置と、
前記光学式情報記録媒体を回転させる光学式情報記録媒体駆動部と、
前記光ピックアップ装置から出射されるレーザ光が、前記光学式情報記録媒体に照射されるように、前記光ピックアップ装置を駆動させる光ピックアップ装置駆動部とを備えている光学式情報記録再生装置。
【発明の詳細な説明】
【技術分野】
【０００１】
本発明は、光ピックアップ装置に関する。特に、光学式情報記録媒体に情報信号を記録もしくは再生するための光ピックアップ装置およびそれを備えた光学式情報記録再生装置に関するものである。
【背景技術】
【０００２】
光学式情報記録媒体である光ディスク等にオーディオ信号、文字信号および映像信号等の情報を記録または再生する光学式情報記録再生装置には、光ピックアップ装置が搭載されている。光ピックアップ装置から出射されるレーザ光が、光ディスク等の情報記録面に照射されることで記録マークが記入され、情報の記録が行われる。また、光ピックアップ装置から情報記録面に照射されたレーザ光の反射光を光検出器で受光することで、情報の再生が行われる。このように、光ピックアップ装置には、レーザ光を出射する半導体レーザ素子が搭載されている。
【０００３】
近年情報の高密度化が進むにしたがって記録再生の高速化が要求されている。記録再生の高速化のためには、出力の高い半導体レーザ素子を用いる必要がある。そのため、半導体レーザの発振時に発生する熱量は大きくなり、例えば、現在の光ピックアップ装置に使用されている半導体レーザ素子では、発振時の温度は８０〜９０゜Ｃ程度に達する。
【０００４】
また、近年、光学式情報記録再生装置は、薄型ノートパソコン等に用いられるため、光ピックアップ装置も含めて光学式情報記録再生装置の小型化および高密度化が進んでいる。それにより、光ピックアップ装置は、半導体レーザ素子の発熱の影響を強く受け、高温条件下で動作している。
【０００５】
さらに、半導体レーザ素子は、動作温度が高温になると出力が減少するため、その分駆動電流を増大させなければならない。そのため、高温による劣化に加え、駆動電流の増大による劣化が加わり、半導体レーザ素子の素子寿命はさらに短くなる。
【０００６】
このように、光学式情報記録再生装置において、発生する熱をいかに放熱するかは極めて重要な課題であり、従来から種々の提案がなされている。例えば、特許文献１には、樹脂またはセラミックからなる半導体レーザ素子の筐体部あるいはフレーム構造を、熱容量の大きい金属体等（放熱板）に接触させている構成の、光ピックアップ装置に搭載される対物レンズ駆動装置が開示されている。具体的には、半導体レーザ素子、受光素子、プリズムおよびレンズ等からなる光学系を収納した可動ボビンと放熱板とが一体成型された構成である。また、例えば、特許文献２にも放熱板を用いて光ピックアップ装置の放熱を促す方法が開示されている。
【特許文献１】特開平８−２８７４９９号公報
【特許文献２】特開平１１−１６２０２号公報
【発明の開示】
【発明が解決しようとする課題】
【０００７】
しかし、従来のように、放熱板を用いる方法は、別途放熱板を形成し配備するために構造が複雑になる上、製造工程における工数が増大するため高コストであるという問題がある。また、近年では、光学式情報記録再生装置の小型化により、放熱板を配置する空間的余裕がなくなってきている。
【０００８】
本発明は、上述の問題点に鑑みなされたものであって、大型化することなく、放熱効率の高い光ピックアップ装置および光学式情報記録再生装置を提供することを目的とする。
【課題を解決するための手段】
【０００９】
本発明の第１の光ピックアップ装置は、光学式情報記録媒体にレーザ光を照射する光ピックアップ装置であって、レーザ光を出射するレーザ素子を内蔵している光学パッケージと、前記光学パッケージを内包し、前記レーザ光の光軸を調整する光軸調整台と、前記光軸調整台を支持している光学基台と、前記光学基台において前記光学式情報記録媒体が設置される側に、前記光学パッケージ、前記光軸調整台および前記光学基台を覆うように設置されている蓋部とを備え、前記蓋部は、前記光学基台側に突出している熱伝導性を有する突起部を有し、前記光学パッケージ、前記光軸調整台および前記光学基台の少なくともいずれかには、前記突起部が挿入されている孔が形成されていることを特徴とする。
【００１０】
また、本発明の第２の光ピックアップ装置は、光学式情報記録媒体にレーザ光を照射する光ピックアップ装置であって、レーザ光を出射するレーザ素子を内蔵している光学パッケージと、前記光学パッケージの光軸を調整する光軸調整台と、前記光軸調整台を支持している光学基台と、前記光学基台において前記光学式情報記録媒体が設置される側に、前記光学パッケージ、前記光軸調整台および前記光学基台を覆うように設置されている蓋部とを備え、前記光学パッケージおよび前記光軸調整台の少なくともどちらかには、前記蓋部側に突出する熱伝導性を有する突起部が設置されていて、前記突起部は、前記蓋部の近傍に位置しあるいは前記蓋部に接触していることを特徴とする。
【００１１】
また、本発明の第３の光ピックアップ装置は、光学式情報記録媒体にレーザ光を照射する光ピックアップ装置であって、レーザ光を出射するレーザ素子を内蔵している光学パッケージと、前記光学パッケージの光軸を調整する光軸調整台と、前記光軸調整台を支持している光学基台と、前記光学基台において前記光学式情報記録媒体が設置される側に、前記光学パッケージ、前記光軸調整台および前記光学基台を覆うように設置されている蓋部とを備え、前記光学パッケージおよび前記光軸調整台の少なくともどちらかには、前記蓋部側に突出する熱伝導性を有する突起部が設置されていて、前記突起部は、前記蓋部を貫通して光学式情報記録媒体側に突出している。
【００１２】
また、本発明の光学式情報記録再生装置は、上記本発明の第１ないし第３のいずれかの光ピックアップ装置のいずれかと、前記光学式情報記録媒体を回転させる光学式情報記録媒体駆動部と、前記光ピックアップ装置から出射されるレーザ光が、前記光学式情報記録媒体に照射されるように、前記光ピックアップ装置を駆動させる光ピックアップ装置駆動部とを備えていることを特徴とする。
【発明の効果】
【００１３】
本発明によれば、大型化することなく、放熱効率の高い光ピックアップ装置および光学式情報記録再生装置を提供することができる。
【発明を実施するための最良の形態】
【００１４】
本発明の第１の光ピックアップ装置は、前記光学パッケージ、前記光軸調整台および前記光学基台を覆うように設置されている蓋部には、前記光学基台側に突出している突起部が設置され、前記光学パッケージ、前記光軸調整台および前記光学基台の少なくともいずれかには、前記突起部が挿入されている孔が形成されている。そのため、光学パッケージに内蔵されている、熱源であるレーザ素子が発する熱を、より熱源に近い個所である前記光学パッケージ、前記光軸調整台および前記光学基台の内部に配置されている突起部を伝って蓋部に移動させ、蓋部から空気中に放熱することができる。それにより、放熱効率が高い光ピックアップ装置を実現することができる。また、従来の光ピックアップ装置に突起部を設置し、孔を形成するだけで実現できるので、光ピックアップ装置が大型化することなく放熱効率を高くすることができる。また、放熱効率が高いため、レーザ素子が温度暴走することもなく、劣化も少ないため、寿命も長い。また、高温であるために起こる、誤動作も生じない。
【００１５】
また、上記本発明の第１の光ピックアップ装置において、好ましくは、前記光学パッケージには、前記突起部が挿入される前記孔が形成されていて、前記突起部は、前記レーザ素子に接触するかあるいは前記レーザ素子の近傍にある。それにより、熱源であるレーザ素子の熱を突起部により直接外部に移動させることができるので、放熱効率が高いという効果を奏する。
【００１６】
また、上記本発明の第１の光ピックアップ装置において、好ましくは、前記光軸調整台または前記光学パッケージと、前記光学基台とを接続する放熱板をさらに備えていて、前記光学基台における、前記放熱板と前記光学基台との接続個所近傍に、前記孔が形成されていて、前記孔に前記突起部が挿入されている。それにより、光学基台において、最も温度の高い個所の熱を突起部により外部に移動させることができるので、放熱効率が高い。
【００１７】
また、上記本発明の第１の光ピックアップ装置において、好ましくは、前記突起部は、前記蓋部において前記光学式情報記録媒体が設置される側の面から前記光学基台側に突出している。前記蓋部において前記光学式情報記録媒体が設置される側の面は空気に触れている。また、光学式情報記録媒体の回転により、光学式情報記録媒体と蓋部との間には空気の流れが生じる。そのため、突起部に伝わった熱がより効果的に放熱される。したがって、放熱効率が高いという効果を奏する。
【００１８】
また、上記本発明の第１の光ピックアップ装置において、前記突起部は前記蓋部を貫通して、前記光学式情報記録媒体が設置される側にも突出している。そのため、突起部の光学式情報記録媒体側に突出している個所は空気に触れている。それにより、蓋部だけでなく、突起部の光学式情報記録媒体側に突出している個所からも外部に熱を放熱することができる。また、光学式情報記録媒体の回転により、光学式情報記録媒体と蓋部との間には、空気の流れが生じる。したがって、突起部の放熱はさらに大きくなる。
【００１９】
また、上記本発明の第１の光ピックアップ装置において、前記突起部が挿入されている前記孔には、放熱グリスが充填されている。それにより、孔の内面と突起部とが接触していなくても、放熱グリスにより熱が伝わりやすいので、放熱効率が高い。
【００２０】
また、上記本発明の第２の光ピックアップ装置は、光学パッケージおよび前記光軸調整台の少なくともどちらかには、蓋部側に突出する突起部が設置されていて、突起部の先端は、蓋部の近傍に位置しあるいは前記蓋部に接触している。そのため、光学パッケージに内蔵されている、熱源であるレーザ素子が発する熱を、より熱源に近い個所である前記光学パッケージおよび前記光軸調整台に配置されている突起部を伝って蓋部に移動させ、蓋部から空気中に放熱することができる。それにより、放熱効率が高い光ピックアップ装置を実現することができる。また、従来の光ピックアップ装置に突起部を設置し、孔を形成するだけで実現できるので、光ピックアップ装置が大型化することなく放熱効率を高くすることができる。また、放熱効率が高いため、レーザ素子が温度暴走することもなく、劣化も少ないため、寿命も長い。また、高温であるために起こる、誤動作も生じない。
【００２１】
また、上記本発明の第２の光ピックアップ装置において、前記蓋部と前記突起部とが接触していず、前記蓋部と前記突起部との間に放熱グリスが塗布されている。それにより、蓋部と突起部とが接触していなくても、放熱グリスにより熱が伝わりやすいので、放熱効率が高い。
【００２２】
また、上記本発明の第３の光ピックアップ装置において、光学パッケージおよび光軸調整台の少なくともどちらかには、蓋部側に突出する熱伝導性を有する突起部が設置されていて、突起部は、蓋部を貫通して光学式情報記録媒体側に突出している。そのため、光学パッケージに内蔵されている、熱源であるレーザ素子が発する熱を、より熱源に近い個所である前記光学パッケージおよび前記光軸調整台に配置されている突起部を伝って蓋部に移動させ、蓋部から空気中に放熱することができる。また、突起部が蓋部を貫通して光学式情報記録媒体側に突出しているので、突起部の一部が空気に触れている。さらに、光学式情報記録媒体の回転により、光学式情報記録媒体と蓋部との間には空気の流れが生じる。そのため、突起部に伝わった熱がより効果的に放熱される。したがって、放熱効率が高い光ピックアップ装置を実現することができる。また、従来の光ピックアップ装置に突起部を設置し、孔を形成するだけで実現できるので、光ピックアップ装置が大型化することなく放熱効率を高くすることができる。また、放熱効率が高いため、レーザ素子が温度暴走することもなく、劣化も少ないため、寿命も長い。また、高温であるために起こる、誤動作も生じない。
【００２３】
また、上記本発明の第３の光ピックアップ装置において、好ましくは、前記蓋部には、前記突起部が貫通する孔が形成されていて、前記孔には放熱グリスが充填されている。それにより、蓋部と突起部とが接触していなくても、放熱グリスにより熱が伝わりやすいので、放熱効率が高い。
【００２４】
また、上記本発明の第１ないし第３のいずれかの光ピックアップ装置において、前記蓋部はアルミニウムにより構成されている。それにより、蓋部の輻射率が高くなるため、蓋部から放熱される量が増加する。そのため、放熱効率をさらに高くすることができる。
【００２５】
また、本発明の光学式情報記録再生装置は、上記本発明の第１ないし第３のいずれかの光ピックアップ装置を備えている。それにより、放熱効率が高いうえ、大型化することもない、光学式情報記録再生装置を実現することができる。また、本発明の光学式情報記録再生装置は誤動作も生じず、寿命も長い。
【００２６】
以下、本発明の具体的な実施形態について図面を用いて説明する。
【００２７】
（実施の形態１）
本発明の実施の形態１に係る光学式情報記録再生装置および光ピックアップ装置について図を用いて説明する。図１は本発明の実施の形態１に係る光学式情報記録再生装置の構成を示す斜視図である。また、図２は本発明の実施の形態１に係る光学式情報記録再生装置における、光ピックアップ装置と光ディスクとの配置を示す斜視図である。図２は、図１に示した光学式情報記録再生装置（以下、単に記録再生装置という）１のうち、光ピックアップ装置８と光ディスク（光学式情報記録媒体）２を有するカートリッジ４とを図示したものであり、これらを、図１よりも拡大して示している。
【００２８】
図１において、光学式ディスクドライブである記録再生装置１は、トラバースベース６と、トラバースベース６上に設置された駆動台１０と、駆動台１０上に設置された光ピックアップ装置８と、スピンドルモータ（光学式情報記録媒体駆動部）７と、駆動台１０を移動させるためのシャフト９と、シャフト９をその軸を中心として回転させるモータ（図示せず）を備えた支持台３と、スピンドルモータ７に連結されていて、スピンドルモータ７によって軸を中心として回転させられるモータシャフト５とを備えている。
【００２９】
また、記録再生装置１には、カートリッジ４が設置されている。カートリッジ４には、光学式情報記録媒体である光ディスク２が内蔵されている。図示されていないが、光ディスク２の中心部にモータシャフト５の端部が連結されて、カートリッジ４は記録再生装置１に設置される。これにより、光ディスク２は、モータシャフト５を介してスピンドルモータ７により回転させられる。さらに、図２にも示されているように光ディスク２はカートリッジ４により保護されているが、カートリッジ４には開口部４ａが形成されていて、開口部４ａでは光ディスク２が外部に露呈されている。
【００３０】
図２に示されているように、実施の形態１の光ピックアップ装置８は、光ディスク２が設置される側に対物レンズ１２と、出射するレーザ光の焦点を合わせるために対物レンズ１２をトラッキング方向またはフォーカス方向に移動させ得るアクチュエータ１６とを備えている。光ピックアップ装置８は、光ディスク２の外部に露呈されている個所に向けて対物レンズ１２からレーザ光１１を出射する。それにより、光ディスク２への情報の記録および光ディスク２の情報の再生を行う。光ピックアップ装置８の構成のさらに詳しい説明は後述する。
【００３１】
駆動台１０には、２本のシャフト９が貫通している。１つのシャフト９は、支持台３のモータ（図示せず）により、その軸方向を中心として回転させられる。このシャフト９が回転することで、駆動台１０が光ディスク２の半径方向に移動する。このような機構は、シャフト９と駆動台１０との間に例えばギア等を備えることで実現できる。もう１つのシャフト９は、駆動台１０の移動方向を規定するためのもので、駆動台１０はこのシャフトに沿って移動し得る。駆動台１０上には光ピックアップ装置８が設置されていて、駆動台１０と一体となって移動する。これにより、光ピックアップ装置８は光ディスク２に対して、その外周側および内周側に移動可能である。したがって、レーザ光１１を出射する対物レンズ１２も、光ディスク２の外周側および内周側に移動可能である。このような機構（光ピックアップ装置駆動部）により、光ピックアップ装置を駆動させることができる。なお、光ピックアップ装置８を光ディスク２に対して移動させる機構は、上述の機構に限定されるわけではない。
【００３２】
開口部４ａから、光ディスク２の表面である情報記録面の一部が露呈されている。光ディスク２を回転させれば、順次、情報記録面の全てが外部に露呈されることになる。また、光ピックアップ装置８は光ディスク２の外周側および内周側に移動が可能である。したがって、光ディスク２の情報記録面における所定の個所にレーザ光１１を照射することが可能である。
【００３３】
記録再生装置１は、光ディスク２の回転をスピンドルモータ７で調整し、光ディスク２の外周側および内周側に対する光ピックアップ装置８の位置をシャフト９によって調整し、対物レンズ１２から出射されるレーザ光１１が、光ディスク２の情報記録面における所望の位置に照射されるようにする。レーザ光１１が、光ディスク２の情報記録面に照射されることで光ディスク２には記録マークが記入され、情報の記録が行われる。また、レーザ光１１が情報記録面に照射され、反射した光を検出することにより情報の再生が行われる。
【００３４】
次に、図３を用いてさらに詳しく実施の形態１に係る光ピックアップ装置８について説明する。図３は本発明の実施の形態１に係る光ピックアップ装置８の構成を示す分解斜視図である。図３に示すように、光ピックアップ装置８は、光学基台１５と、光学基台１５に支持された光軸調整台１９と、光軸調整台１９に内包されている光学パッケージ１３と、光学パッケージ１３の内部に設置された半導体レーザ素子（図示せず）と、半導体レーザ素子から出射されるレーザ光１１を反射する反射鏡１４と、電線等のフレキ押さえおよび輻射防止用のカバー（蓋部）１７と、光ディスク２の情報記録面にレーザ光１１の焦点を合わせるための対物レンズ１２と、レーザ光１１の焦点を情報記録面に合わせるため対物レンズ１２を光ディスク２に対してフォーカス方向またはトラッキング方向に駆動させるアクチュエータ１６とを備えている。
【００３５】
光学基台１５の内部に設置されている光軸調整台１９は、アオリホルダー１９ａとスライドホルダー１９ｂとを有している。光ピックアップ装置８を組み立てるときに光軸調整台１９を用いて、光軸調整台１９の内部に設置されている半導体レーザ素子の光軸を調整する。光軸の方向（レーザ光１１の方向）が所望の方向となるように、光軸調整台１９により調整された後、光軸調整台１９は固定される。光学パッケージ１３および光軸調整台１９には、レーザ光１１が出射される孔（図示せず）が形成されていて、半導体レーザ素子から出射されるレーザ光１１は、その孔を通って反射鏡１４で反射されて、カバー１７に形成された孔１８を通って、対物レンズ１２に入射する。アクチュエータ１６は、レーザ光１１の焦点が光ディスク２の情報記録面の所望の位置に合うように、対物レンズ１２をフォーカス方向あるいはトラッキング方向に駆動させる。
【００３６】
光軸調整台１９において、光学パッケージ１３が接している個所の裏面には光学基台１５と連結されている放熱板２１が設置されている。放熱板２１は、半導体レーザ素子に生じる熱を光学基台１５へと放熱している。なお、放熱板２１は、光学パッケージ１３または光軸調整台１９と、光学基台１５とを連結するように設置されていればよく、光学パッケージ１３または光軸調整台１９の熱を光学基台１５へと伝えている。
【００３７】
カバー１７は、光学基台１５上に設置されている。上述したように、カバー１７は、半導体素子等に接続された電線等のフレキが、光ディスク２に接触せぬように押さえるためや輻射防止用としての働きがある。そのため、カバー１７は、光学基台１５の光ディスク２が設置される側に設置されている。なお、カバー１７は、光学基台１５と嵌合するような形状でもよいし、板状であってもよい。
【００３８】
カバー１７には、光学基台１５側に突出している突起部２２が設置されている。この突起部２２は熱伝導性を有している。具体的には、例えば、突起部２２はアルミニウム等により構成されていることが望ましい。また、突起部２２の表面に、アルマイト加工やめっき加工が施されている、または、突起部２２の表面の表面粗さが大きいこととすれば望ましい。それにより、突起部２２の輻射率が高くなる。放熱効果が高まるため、突起部２２は熱伝導性が大きいほど好ましい。また、光学パッケージ１３には、この突起部２２が嵌る孔２３が形成されている。なお、熱伝導性を有する材料とは、例えば、アクリル樹脂（０．２１Ｗ／ｍ℃）、ステンレス（２７Ｗ／ｍ℃）、アルミニウム（２２０Ｗ／ｍ℃）、銅（３９０Ｗ／ｍ℃）、グラファイトシート（６００Ｗ／ｍ℃）等である。
【００３９】
図４は本発明の実施の形態１に係る光ピックアップ装置の構成を示す斜視図である。図４に示した光ピックアップ装置８は、図３に分解斜視図で示した光ピックアップ装置８を組み立てた状態である。
【００４０】
図４に示すように、カバー１７は光学基台１５上に、光学パッケージ１３、光軸調整台１９および光学基台１５を覆うように設置されている（図３参照）。光ピックアップ装置８が組み立てられた状態では、突起部２２は孔２３に挿入される。
【００４１】
このような、実施の形態１に係る光ピックアップ装置８を動作させた場合には、半導体レーザ素子が発熱する。半導体レーザ素子が熱源となるが、光学パッケージ１３内の熱は、例えば、放熱板２１を伝って、光学基台１５に伝達される。光学基台１５はカバー１７に接触しており、熱はカバー１７を介して外部に放熱される。
【００４２】
さらに、光学パッケージ１３の内部には、熱伝導性の高い突起部２２が配置されているので、半導体レーザ素子で発生した熱は突起部２２に伝達、輻射または対流によって移動し、効率良くカバー１７へと移動し、カバー１７の表面から光ピックアップ装置８の外部に放熱される。熱源である半導体レーザ素子の近傍に突起部２２が配置されているか、突起部２２が半導体レーザ素子に接触していることが好ましい。それにより、突起部２２が熱源から直接熱を吸収し、外部へと伝えるので、効率良く放熱が行われる。すなわち、この光ピックアップ装置８は放熱効率が高い。なお、突起部２２が半導体レーザ素子に干渉しないような構成とする。すなわち、半導体レーザ素子の動作に不具合が生じないようにする。
【００４３】
なお、突起部２２は、カバー１７において光ディスク２が設置される側の面に設置され、光学基台１５側に突出している構成とすることが望ましい。それにより、突起部２２で吸収した熱は、カバー１７の光ディスク２が設置される側の面に直接移動することとなり、その面から外気へと放熱される。さらに、光ディスク２の回転により、カバー１７と光ディスク２との間に生じる気流（空気の流れ）により、カバー１７の光ディスク２側の面は、カバー１７の他の面に比べて放熱効率が高い。そのため、効率よく熱を放出することができる。
【００４４】
また、突起部２２は、カバー１７に設置されていて光学基台１５側に突出していればよく、その設置場所は特に限定されるわけではない。例えば、レーザ光１１の光軸に対して平行である面に設置されていてもよい。
【００４５】
このように、実施の形態１の光ピックアップ装置８は、カバー１７の光学基台１５側の面に形成された突起部２２と、突起部２２が挿入され得る大きさおよび配置の、光学パッケージ１３に形成された孔２３とを備えた構成であり、光ピックアップ装置８が大型化することなく簡単に作製することができる。
【００４６】
また、カバー１７は、例えば、ステンレス等により構成されるが、アルミニウムにより構成してもよい。それにより、カバー１７の熱伝導性が大きくなり、光ピックアップ装置８の放熱効率を高めることができる。また、孔２３の内面は、熱放射性能が高くなるように加工されていてもよい。具体的には、孔２３の内面にアルマイト加工やめっき加工を施し、孔２３の内面にアルミニウム等の熱伝導性の高い材料を形成し、放熱性を高くすればよい。また、孔２３の内面の表面粗さを大きくすることで、孔２３の内面の熱放射性能を高めればよい。それにより、光ピックアップ装置８の放熱効率をさらに高めることができる。
【００４７】
なお、孔２３の径と突起部２２の径とを略同じにすると、光学パッケージ１３の配置が決まってしまう。そのため、上記光軸調整を行うことできなくなる。そこで、孔２３の径は、突起部２２の径に比べてゆとりをもった大きさに設計することが望ましい。なお、孔２３中には、放熱グリスを充填しておくことが望ましい。それにより、突起部２２と孔２３とが接触しなくとも、それらの間に空気ではなく放熱グリスが設置されることになり、孔２３から突起部２２への熱の移動が効率良く行われる。
【００４８】
また、突起部２２が半導体レーザ素子に近づくほど、あるいは突起部２２の径が大きいほど、放熱効率は高くなる。しかし、それにより、突起部２２が大きくなるため、部品コストも高くなる。これらのことを考慮して、最適となる突起部２２または孔２３の大きさを決めればよい。なお、実施の形態１の光ピックアップ装置８において、突起部２２と孔２３は１つずつとしたが、複数ずつでもよい。これらの数が増える方が、放熱効率はさらに高くなる。
【００４９】
また、突起部２２がカバー１７を貫通していて、カバー１７の、光学基台１５とは反対側にも突出する構成でもよい。なお、光学基台１５とは反対側とは、光ディスクが設置される側である。図５を用いて具体的に、この光ピックアップ装置５８の構成を説明する。図５は本発明の実施の形態１に係る他の光ピックアップ装置の構成を示す分解斜視図である。なお、図５において、図１と同様の機能を有する部材には同一の符号を付し、説明を省略する。図５に示すように、光ピックアップ装置８ａにおいて、突起部６２が、光学基台１５側だけでなく、その反対側にも突出している。つまり、突起部６２がカバー１７を貫通してカバー１７の両面に突出している。このような構成とすることで、突起部６２の内、カバー１７の外部に突出している個所は、空気と接していることになるので、放熱効率が高くなる。また、突起部６２の内、カバー１７の外部に突出している個所の表面を熱放射性能が高くなるように加工してもよい。具体的には、アルマイト加工やめっき加工を施し、放熱性を高くすればよい。また、突起部６２の内、カバー１７の外部に突出している個所の表面粗さを大きくすることで、熱放射性能を高めればよい。それにより、光ピックアップ装置５８の放熱効率をさらに高めることができる。
【００５０】
また、前述の実施の形態１に係る記録再生装置１は、このような光ピックアップ装置８を備えているため放熱効率が高い。この記録再生装置１において、光ピックアップ装置８の代わりに、図５に示す光ピックアップ装置５８を搭載してもよい。その場合は、光ディスク２と光ピックアップ装置５８との間の空間に、光ディスク２の回転により空気が流れる。突起部６２の内、カバー１７の外部に突出している個所は、この空間に位置するので、放熱効率はさらに高くなる。
【００５１】
このように、実施の形態１に係る光ピックアップ装置および記録再生装置は、大型化させずとも放熱効率が高く、また、構成が簡単であるため低コストで作製することができる。
【００５２】
（実施の形態２）
本発明の実施の形態２に係る光学式情報記録再生装置および光ピックアップ装置について図を用いて説明する。図６は本発明の実施の形態２に係る光ピックアップ装置の構成を示す分解斜視図である。図６に示した実施の形態２の光ピックアップ装置８ａの基本構成は、図３に示した実施の形態１に係る光ピックアップ装置８の構成と略同様である。実施の形態２に係る光ピックアップ装置８ａは、実施の形態１に係る光ピックアップ装置８の突起部２２および孔２３の代わりに突起部２２ａおよび孔２３ａを有する。そこで、図６において、図３に示した部材と同様の機能を有する部材には、同一の符号を付し説明を省略する。なお、組み立て後の実施の形態２の光ピックアップ装置８ａは、図４に示す実施の形態１の光ピックアップ装置８と同様の構成である。
【００５３】
また、実施の形態２の記録再生装置１ａは、図１に示した実施の形態１の記録再生装置１と略同一の構成で、光ピックアップ装置８の代わりに光ピックアップ装置８ａを備えている。それ以外は同一の構成であるため、実施の形態２の記録再生装置１ａについては、図１の記録再生装置１を参照すればよく、詳しい説明は省略する。
【００５４】
図６において、カバー１７の光学基台１５側の面には、光学基台１５側に突出している２本の突起部２２ａが設置されている。光軸調整台１９には、カバー１７を光学基台１５上に設置した場合に、この突起部２２ａが挿入される孔２３ａがそれぞれ形成されている。
【００５５】
実施の形態２の光ピックアップ装置８ａにおいて、カバー１７が光学基台１５上に設置されて、光ピックアップ装置８ａが組み立てられた場合に、熱伝導性を有する突起部２２ａは、孔２３ａに挿入される。なお、突起部２２ａは、実施の形態１の突起部２２と同様に、熱伝導性が大きい方が好ましい。
【００５６】
実施の形態２に係る光ピックアップ装置８ａを動作させた場合には、半導体レーザ素子が発熱する。半導体レーザ素子が熱源となるが、光学パッケージ１３内の熱は、例えば、放熱板２１を伝わって、光学基台１５に伝達される。光学基台１５はカバー１７に接触しており、熱はカバー１７を介して外部に放熱される。
【００５７】
さらに、光学パッケージ１３の熱が、光学パッケージ１３を内包している光軸調整台１９に伝わり、光軸調整台１９が加熱される。光軸調整台１９の内部には、熱伝導性の高い突起部２２ａが挿入されているので、発生した熱は突起部２２ａに伝達、輻射または対流によって移動し、効率良くカバー１７へと移動し、カバー１７の表面から光ピックアップ装置８ａの外部に放熱される。したがって、効率良い放熱が行われる。すなわち、この光ピックアップ装置８ａは放熱効率が高い。
【００５８】
また、この光ピックアップ装置８ａは、カバー１７の光学基台１５側の面に形成された突起部２２ａと、突起部２２ａが挿入され得る大きさおよび配置の、光軸調整台１９に形成された孔２３ａとを備えた構成であり、光ピックアップ装置８ａが大型化することなく簡単に作製することができる。
【００５９】
実施の形態１と同様に、この光ピックアップ装置８ａにおいても光軸調整を行うことができるように、孔２３ａの径は、突起部２２ａの径に比べてゆとりをもった大きさに設計されることが望ましい。なお、孔２３ａ中には、放熱グリスを充填しておくことが望ましい。それにより、突起部２２ａと孔２３ａとが接触しなくとも、それらの間に空気ではなく放熱グリスが設置されることになり、孔２３ａから突起部２２ａへの熱の移動が効率良く行われる。さらに、実施の形態１と同様に、孔２３ａの内面を熱放射性能が高くなるように加工してもよい。具体的には、孔２３ａの内面にアルマイト加工やめっき加工を施し、孔２３ａからの放熱性を高くすればよい。また、孔２３ａの内面の表面粗さを大きくすることで、孔２３ａの内面の熱放射性能を高めればよい。それにより、光ピックアップ装置８ａの放熱効率をさらに高めることができる。
【００６０】
実施の形態２の光ピックアップ装置８ａにおいては、突起部２２ａおよび孔２３ａをそれぞれ２つずつとしたが、この数は限定されるわけではない。それぞれ対応する突起部２２ａおよび孔２３ａを有していればよく、その数は、１つずつであってもよいし、複数ずつであってもよい。また、孔２３ａは、光軸調整台１９のアオリホルダー１９ａに形成されていることとしたが、スライドホルダー１９ｂに形成されていてもよい。なお、熱源により近い個所に孔２３ａが形成されることが望ましい。それにより、突起部２２ａを介して効率良く熱がカバーに移動し、光ピックアップ装置８ａの放熱効率が高くなる。
【００６１】
また、図５で示した光ピックアップ装置５８のように、突起部２２ａがカバー１７を貫通していて、光学基台１５側だけでなく、その反対側にも突出している構成でもよい。このような構成とすることで、突起部２２ａの内、カバー１７の外部に突出している個所は、空気と接していることになるので、放熱が大きい。これにより、光ピックアップ装置８ａの放熱効率はさらに高くなる。
【００６２】
また、図１に示すように、実施の形態２に係る記録再生装置１ａは、実施の形態２の光ピックアップ装置８ａを備えている。このような構成であるため、実施の形態１の記録再生装置１と同様の効果を奏する。
【００６３】
本発明の実施の形態２に係る光ピックアップ装置および記録再生装置は、大型化させずとも放熱効率が高く、また、構成が簡単であるため低コストで作製することができる。
【００６４】
（実施の形態３）
本発明の実施の形態３に係る光学式情報記録再生装置および光ピックアップ装置について図を用いて説明する。図７は本発明の実施の形態３に係る光ピックアップ装置の構成を示す分解斜視図である。図７に示した実施の形態３の光ピックアップ装置８ｂの基本構成は、図３に示した実施の形態１に係る光ピックアップ装置８の構成と略同様である。実施の形態３に係る光ピックアップ装置８ｂは、実施の形態１に係る光ピックアップ装置８の突起部２２および孔２３の代わりに突起部２２ｂおよび孔２３ｂを有する。そこで、図７において、図３に示した部材と同様の機能を有する部材には、同一の符号を付し説明を省略する。なお、組み立て後の実施の形態３の光ピックアップ装置８ｂは、図４に示す実施の形態１の光ピックアップ装置８と同様の構成である。
【００６５】
また、実施の形態３の記録再生装置１ｂは、図１に示した実施の形態１の記録再生装置１と略同一の構成で、光ピックアップ装置８の代わりに光ピックアップ装置８ｂを備えている。それ以外は同一の構成であるため、実施の形態３の記録再生装置１ｂについては、図１の記録再生装置１を参照すればよく、詳しい説明は省略する。
【００６６】
図７において、カバー１７の光学基台１５側の面には、光学基台１５側に突出している４本の突起部２２ｂが設置されている。光学基台１５には、カバー１７を光学基台１５上に設置した場合に、この突起部２２ｂが挿入される孔２３ｂがそれぞれ形成されている。
【００６７】
実施の形態３の光ピックアップ装置８ｂにおいて、カバー１７が光学基台１５上に設置されて、光ピックアップ装置８ｂが組み立てられた場合に、熱伝導性を有する突起部２２ｂは、孔２３ｂに挿入される。なお、突起部２２ｂは、実施の形態１の突起部２２と同様に、熱伝導性が大きい方が好ましい。
【００６８】
実施の形態３に係る光ピックアップ装置８ｂを動作させた場合には、半導体レーザ素子が発熱する。半導体レーザ素子が熱源となるが、光学パッケージ１３内の熱は、例えば、放熱板２１を伝わって、光学基台１５に伝達される。光学基台１５はカバー１７に接触しており、熱はカバー１７を介して外部に放熱される。また、光学パッケージ１３内の熱は、光軸調整台１９を通じて、光学基台１５に伝達されもする。
【００６９】
光学基台１５の内部には、熱伝導性の高い突起部２２ｂが配置されているので、発生した熱は突起部２２ｂに伝達、輻射または対流によって移動し、効率良くカバー１７へと移動し、カバー１７の表面から光ピックアップ装置８ｂの外部に放熱される。したがって、効率良い放熱が行われる。すなわち、この光ピックアップ装置８ｂは放熱効率が高い。
【００７０】
また、この光ピックアップ装置８ｂは、カバー１７の光学基台１５側の面に形成された突起部２２ｂと、突起部２２ｂが挿入され得る大きさおよび配置の、光軸調整台１９に形成された孔２３ｂとを備えた構成であり、光ピックアップ装置８ｂが大型化することなく簡単に作製することができる。
【００７１】
実施の形態３の光ピックアップ装置８ｂは、光軸調整において、光学基台１９がカバー１７に対して動くことはないので、突起部２２ｂと孔２３ｂとにゆとりがなくとも、光軸調整が制限されることがない。したがって、孔２３ｂの径は、突起部２２ｂの径に比べてゆとりをもった大きさでもよいし、略同一の大きさでもよく、突起部２２ｂを孔２３ｂに挿入され得る大きさとすればよい。なお、孔２３ｂ中には、放熱グリスを充填しておくことが望ましい。それにより、突起部２２ｂと孔２３ｂとが接触しない個所であっても、それらの間に空気ではなく放熱グリスが設置されることになり、孔２３ｂから突起部２２ｂへの熱の移動が効率良く行われる。さらに、実施の形態１と同様に、孔２３ｂの内面を熱放射性能が高くなるように加工してもよい。具体的には、孔２３ｂの内面にアルマイト加工やめっき加工を施し、孔２３ｂからの放熱性を高くすればよい。また、孔２３ｂの内面の表面粗さを大きくすることで、孔２３ｂの内面の熱放射性能を高めればよい。それにより、光ピックアップ装置８ｂの放熱効率をさらに高めることができる。
【００７２】
実施の形態３の光ピックアップ装置８ｂにおいては、突起部２２ｂおよび孔２３ｂをそれぞれ４つずつとしたが、この数は限定されるわけではない。それぞれ対応する突起部２２ｂおよび孔２３ｂを有していればよく、その数は、１つずつであってもよいし、複数ずつであってもよい。また、孔２３ｂは、光学基台１５のいずれの個所に形成されていてもかまわない。特に、放熱板２１と光学基台１５とが接する個所に近いほうが、高熱であるので、この個所に孔２３ｂが形成され、突起部２２ｂにより、熱が放熱されることが好ましい。
【００７３】
また、図５で示した光ピックアップ装置５８のように、突起部２２ｂがカバー１７を貫通していて、光学基台１５側だけでなく、その反対側にも突出している構成でもよい。このような構成とすることで、突起部２２ｂの内、カバー１７の外部に突出している個所は、空気と接していることになるので、放熱が大きい。これにより、光ピックアップ装置８ｂの放熱効率はさらに高くなる。
【００７４】
また、図１に示すように、実施の形態３に係る記録再生装置１ｂは、実施の形態３の光ピックアップ装置８ｂを備えている。このような構成であるため、実施の形態１の記録再生装置１と同様の効果を奏する。
【００７５】
このように、本発明の実施の形態３に係る光ピックアップ装置および記録再生装置は、大型化させずとも放熱効率が高く、また、構成が簡単であるため低コストで作製することができる。
【００７６】
実施の形態１〜３に記載の光ピックアップ装置８、５８、８ａ、８ｂは、それぞれ、光学パッケージ１３、光軸調整台１９、光学基台１７に孔２３、２３ａ、２３ｂが形成され、これらに嵌り込む突起部２２、６２、２２ａ、２２ｂを備えている。しかし、これらの構成に限定されるわけではなく、光学パッケージ１３、光軸調整台１９、光学基台１７の全てに孔２３、２３ａ、２３ｂが形成され、それらに対応する突起部２２、６２、２２ａ、２２ｂを備えている構成としてもよい。また、孔２３、２３ａ、２３ｂおよび突起部２２、６２、２２ａ、２２ｂそれぞれを選択的に組み合わせて備えている構成であってもよい。
【００７７】
また、実施の形態１〜３の光ピックアップ装置８、５８、８ａ、８ｂの各突起部２２、６２、２２ａ、２２ｂの形状は、円柱状として図示しているが、円柱状に限定されるわけではない。楕円柱や、三角柱または四角柱等の多角柱としてもよい。さらに、柱状に限られず、例えば、錐体であってもよく、その形状は限定されない。また、上記各形状が部分的に組み合わされている形状でもよい。なお、各突起部２２、６２、２２ａ、２２ｂに対応する孔２３、２３ａ、２３ｂの形状は、各突起部２２、６２、２２ａ、２２ｂが挿入され得る形状であればよい。
【００７８】
（実施の形態４）
本発明の実施の形態４に係る光学式情報記録再生装置および光ピックアップ装置について図を用いて説明する。図８は本発明の実施の形態４に係る光ピックアップ装置の構成を示す分解斜視図である。図８に示した実施の形態４に係る光ピックアップ装置８ｃの基本構成は、図３に示した実施の形態１に係る光ピックアップ装置８の構成と略同様である。実施の形態４の光ピックアップ装置８ｃは、実施の形態１に係る光ピックアップ装置８のように、カバー１７に突起部２２が設置されていず、光学パッケージ１３に孔２３も形成されていない。その代わりに光学パッケージ１３には、カバー１７に接する突起部２２ｃが形成されている。それ以外は、実施の形態１の光ピックアップ装置８と同様の構成である。そこで、図８において、図３に示した部材と同様の機能を有する部材には、同一の符号を付し説明を省略する。なお、組み立て後の実施の形態４の光ピックアップ装置８ｃは、図４に示す実施の形態１の光ピックアップ装置８と同様の構成である。
【００７９】
また、実施の形態４の記録再生装置１ｃは、図１に示した実施の形態１の記録再生装置１と略同一の構成で、光ピックアップ装置８の代わりに光ピックアップ装置８ｃを備えている。それ以外は同一の構成であるため、実施の形態４の記録再生装置１ｃについては、図１の記録再生装置１を参照すればよく、詳しい説明は省略する。
【００８０】
図８において、光学パッケージ１３には、カバー１７側に突出している突起部２２ｃが形成されている。この突起部２２ｃは熱伝導性を有する。なお、突起部２２ｃは、実施の形態１の突起部２２と同様に、熱伝導性が大きい方が好ましい。
【００８１】
カバー１７を光学基台１５上に設置して、光ピックアップ装置８ｃを組み立てた場合に、この突起部２２ｃはカバー１７と接触する。光ピックアップ装置８ｃを組み立てた場合に、光学基台１５とカバー１７とは接触するが、カバー１７と光学パッケージ１３との間には、空間が形成されているので、突起部２２ｃを形成することは可能である。また、突起部２２ｃの長さは、カバー１７と光学パッケージ１３との間隔と略同じでよい。それにより、カバー１７を光学基台１５上に設置した場合に、突起部２２ｃはカバー１７に触れることになる。
【００８２】
実施の形態４の光ピックアップ装置８ｃを、実施の形態４の記録再生装置（図１参照）に搭載して動作させた場合には、半導体レーザ素子が発熱する。半導体レーザ素子が熱源となるが、光学パッケージ１３内の熱は、例えば、放熱板２１を伝わって、光学基台１５に伝達される。また、光軸調整台１９を通じて、光学基台１５に伝達されもする。光学基台１５はカバー１７に接触しており、熱はカバー１７を介して外部に放熱される。
【００８３】
さらに、光学パッケージ１３には、熱伝導性の高い突起部２２ｃが設置されているので、発生した熱は突起部２２ｃに伝達、輻射または対流によって移動し、効率良くカバー１７へと移動し、カバー１７の表面から光ピックアップ装置８ｃの外部に放熱される。したがって、効率良い放熱が行われる。すなわち、この光ピックアップ装置８ｃは放熱効率が高い。なお、突起部２２ｃは、光学パッケージ１３の外面に形成されているのではなく、光学パッケージ１３の内部にまで到達していてもよい。つまり、突起部２２ｃが、光学パッケージ１３の内部に設置されている熱源である半導体レーザ素子近傍に配置されていてもよい。それにより、突起部２２ｃが熱源から直接熱を吸収し、外部に移動させることができるので、効率良く放熱が行われる。
【００８４】
また、突起部２２ｃとカバー１７とは接触していることとしたが、接触せずに、突起部２２ｃがカバー１７の近傍にある場合であっても、空気を介してカバー１７に熱が移動するので、効率良い放熱が行われる。なお、例えば、突起部２２ｃの先端に放熱グリスを塗布することが好ましい。それにより、放熱グリスが、突起部２２ｃとカバー１７との間に設置されるので、空気を介するよりも効率良く熱の移動が行われるので、さらに高効率の放熱が実現できる。
【００８５】
また、光学パッケージ１３に突起部２２ｃを形成するだけでよいので、光ピックアップ装置８ｃが大型化することなく、簡単に作製することができる。
【００８６】
また、突起部２２ｃの形成個所は、光学パッケージ１３に限定されない。例えば、光軸調整台１９に形成してもよい。光軸調整台１９とカバー１７との間には空間が形成されているので、光学パッケージ１３に突起部２２ｃを形成するのと同様に、突起部２２ｃを形成することができる。また、突起部２２ｃは、光軸調整台１９の表面だけでなく、内部に伸びて形成されていてもよい。それにより、より熱源に近い位置から、熱を吸収することができる。なお、突起部２２ｃは、熱源である半導体レーザ素子の近くに形成されるほど、放熱効果は高くなる。
【００８７】
また、突起部２２ｃの数は１つに限定されるわけではなく、複数形成されていてもよい。突起部２２ｃの数が増えるほど、放熱効果は高くなる。
【００８８】
また、突起部２２ｃの形状は、円柱状として図示しているが、円柱状に限定されるわけではない。楕円柱や、三角柱または四角柱等の多角柱としてもよい。さらに、柱状に限られず、例えば、錐体であってもよく、その形状は限定されない。また、上記各形状が部分的に組み合わされている形状でもよい。
【００８９】
また、図１に示すように、実施の形態４に係る記録再生装置１ｃは、実施の形態４の光ピックアップ装置８ｃを備えている。このような構成であるため、本発明の実施の形態４に係る記録再生装置１ｃは、放熱効率が高い。
【００９０】
このように、本発明の実施の形態に係る光ピックアップ装置および記録再生装置は、大型化させずとも放熱効率が高く、また、構成が簡単であるため低コストで作製することができる。
【００９１】
（実施の形態５）
本発明の実施の形態５に係る光学式情報記録再生装置および光ピックアップ装置について図を用いて説明する。図９は本発明の実施の形態５に係る光ピックアップ装置の構成を示す分解斜視図である。図９に示した実施の形態５に係る光ピックアップ装置８ｄの基本構成は、図３に示した実施の形態１に係る光ピックアップ装置８の構成と略同様である。実施の形態５の光ピックアップ装置８ｄは、実施の形態１に係る光ピックアップ装置８のように、カバー１７に突起部２２が設置されていず、光学パッケージ１３に孔２３も形成されていない。その代わりに光学パッケージ１３には、カバー１７を貫通する突起部２２ｄが形成されていて、カバー１７には突起部２２ｄが挿入される孔２３ｄが形成されている。それ以外は、実施の形態１の光ピックアップ装置８と同様の構成である。そこで、図９において、図３に示した部材と同様の機能を有する部材には、同一の符号を付し説明を省略する。
【００９２】
また、実施の形態５の記録再生装置１ｄは、図１に示した実施の形態１の記録再生装置１と略同一の構成で、光ピックアップ装置８の代わりに光ピックアップ装置８ｄを備えている。それ以外は同一の構成であるため、実施の形態５の記録再生装置１ｄについては、図１の記録再生装置１を参照すればよく、詳しい説明は省略する。
【００９３】
図９において、光学パッケージ１３には、カバー１７側に突出している突起部２２ｄが形成されている。この突起部２２ｄは熱伝導性を有する。なお、突起部２２ｄは、実施の形態１の突起部２２と同様に、熱伝導性が大きい方が好ましい。また、カバー１７には、突起部２２ｄが挿入される孔２３ｄが形成されている。光軸調整ができるように、この孔２３ｄの内径は突起部２２ｄの外径に比べて大きい。
【００９４】
カバー１７を光学基台１５上に設置して、光ピックアップ装置８ｄを組み立てた場合に、この突起部２２ｄは孔２３ｄに挿入され、カバー１７を貫通して、カバー１７の光学基台１５とは反対側に突出している。つまり、突起部２２ｄは、外部に突出している。なお、カバー１７の光学基台１５とは反対側とは、カバー１７において光ディスクが設置される側である。このような構成とすることで、突起部２２ｄの内、カバー１７の外部に突出している個所は、空気と接していることになるので、放熱効率が高くなる。また、突起部２２ｄの内、カバー１７の外部に突出している個所の表面を熱放射性能が高くなるように加工してもよい。具体的には、アルマイト加工やめっき加工を施し、放熱性を高くすればよい。また、突起部２２ｄの内、カバー１７の外部に突出している個所の表面粗さを大きくすることで、熱放射性能を高めればよい。それにより、光ピックアップ装置８ｄの放熱効率をさらに高めることができる。
【００９５】
また、光ピックアップ装置８ｄを組み立てた場合に、突起部２２ｄと孔２３ｄとの間には、空間が形成されているが、孔２３ｄに放熱グリスを充填して、この空間が放熱グリスで満たされるようにすることが望ましい。それにより、突起部２２ｄを伝わる熱が放熱グリスを介して、カバー１７に伝わり放熱されるので、放熱効率が高くなる。
【００９６】
実施の形態５の光ピックアップ装置８ｄを、実施の形態５の記録再生装置（図１参照）に搭載して動作させた場合には、半導体レーザ素子が発熱する。半導体レーザ素子が熱源となるが、光学パッケージ１３内の熱は、例えば、放熱板２１を伝わって、光学基台１５に伝達される。また、光軸調整台１９を通じて、光学基台１５に伝達されもする。光学基台１５はカバー１７に接触しており、熱はカバー１７を介して外部に放熱される。
【００９７】
さらに、光学パッケージ１３には、熱伝導性の高い突起部２２ｄが設置されているので、発生した熱は突起部２２ｄに伝達、輻射または対流によって移動し、放熱グリスを介して効率良くカバー１７へと移動し、カバー１７の表面から光ピックアップ装置８ｄの外部に放熱される。さらに、突起部２２ｄが、カバー１７から光ディスク２側に突出している。そのため、光ディスク２の回転により、光ディスク２と光ピックアップ装置８ｄとの間の空間に流れる空気によって、突起部２２ｄの内、カバー１７の外部に突出している個所の放熱効率はさらに高くなる。
【００９８】
なお、突起部２２ｄは、光学パッケージ１３の外面に形成されているのではなく、光学パッケージ１３の内部にまで到達していてもよい。つまり、突起部２２ｄが、光学パッケージ１３の内部に設置されている熱源である半導体レーザ素子近傍に配置されていてもよい。それにより、突起部２２ｄは熱源から直接熱を吸収し、外部に移動させることができるので、効率良く放熱が行われる。
【００９９】
上記説明した実施の形態１〜５のいずれかの光ピックアップ装置およびそれを備えた光学式情報記録再生装置は発熱効率が高いので、半導体レーザ素子が動作している状態であるにもかかわらず、温度上昇が小さい。そのため、半導体レーザ素子および光ピックアップ装置が温度暴走することもなく、かつ劣化が少ないため、寿命も長い。
【０１００】
なお、実施の形態１〜５で具体的に示した構造はあくまでも一例であり、本発明はこれらの具体例のみに限定されるものではない。
【産業上の利用可能性】
【０１０１】
本発明の光ピックアップ装置および光学式情報記録再生装置は、放熱効率が高いので、動作することで高熱化することがない。そのため、高熱化しやすい、大容量の記録媒体からの読み出しや、高倍速記録を行う光学式情報記録再生装置として用いればよい。
【図面の簡単な説明】
【０１０２】
【図１】本発明の実施の形態１に係る光学式情報記録再生装置の構成を示す斜視図
【図２】本発明の実施の形態１に係る光学式情報記録再生装置における、光ピックアップ装置と光ディスクとの配置を示す斜視図
【図３】本発明の実施の形態１に係る光ピックアップ装置の構成を示す分解斜視図
【図４】本発明の実施の形態１に係る光ピックアップ装置の構成を示す斜視図
【図５】本発明の実施の形態１に係る他の光ピックアップ装置の構成を示す分解斜視図
【図６】本発明の実施の形態２に係る光ピックアップ装置の構成を示す分解斜視図
【図７】本発明の実施の形態３に係る光ピックアップ装置の構成を示す分解斜視図
【図８】本発明の実施の形態４に係る光ピックアップ装置の構成を示す分解斜視図
【図９】本発明の実施の形態５に係る光ピックアップ装置の構成を示す分解斜視図
【符号の説明】
【０１０３】
１、１ａ、１ｂ、１ｃ、１ｄ  記録再生装置
２  光ディスク
３  支持台
４  カートリッジ
４ａ  開口部
５  モータシャフト
６  トラバースベース
７  スピンドルモータ
８、８ａ、８ｂ、８ｃ、８ｄ、５８  光ピックアップ装置
９  シャフト
１０  駆動台
１１  レーザ光
１２  対物レンズ
１３  光学パッケージ
１４  反射鏡
１５  光学基台
１６  アクチュエータ
１７  カバー
１８  孔
１９  光軸調整台
１９ａ  アオリホルダー
１９ｂ  スライドホルダー
２１  放熱板
２２、２２ａ、２２ｂ、２２ｃ、２２ｄ、６２  突起部
２３、２３ａ、２３ｂ、２３ｄ  孔
【図１】
2006202405.tif 000003
【図２】
2006202405.tif 000004
【図３】
2006202405.tif 000005
【図４】
2006202405.tif 000006
【図５】
2006202405.tif 000007
【図６】
2006202405.tif 000008
【図７】
2006202405.tif 000009
【図８】
2006202405.tif 000010
【図９】
2006202405.tif 000011